(57)【特許請求の範囲】
【請求項１】
人体に当接する面に位置する透液性のトップシートと、前記トップシートの前記人体に当接する面と反対側の面に位置する不透液性のバックシートと、前記トップシートと前記バックシートとの間に介装され長手方向に沿ったスリット部を有する吸収体と、を備える吸収性物品において、
前記スリット部は、第１のスリット幅を有する第１幅部と、前記第１のスリット幅より広い第２のスリット幅を有する第２幅部と、前記第１幅部のスリット幅と前記第２幅部のスリット幅との間のスリット幅を有する第３幅部と、を備え、
前記第１幅部と前記第２幅部とが複数回交互に形成され、前記第１幅部は、吸収体の厚さ方向に２段階のスリット幅を有する構造であることを特徴とする吸収性物品。
【請求項２】
前記第１幅部は、互いに対向するように前記スリット部の内面が突出していることを特徴とする請求項１に記載の吸収性物品。
【請求項３】
前記第１幅部の内面は、先端部分が曲面になるように形成されることを特徴とする請求項１又は２に記載の吸収性物品。
【発明の詳細な説明】
【技術分野】
【０００１】
本発明は、吸収性物品に関する。
【背景技術】
【０００２】
従来、紙おむつや吸収パッド等の吸収性物品は、液透過性の表面シートと、液不透過性の裏面シートと、両シートの間に介装された吸収体とを備えている。
【０００３】
このような吸収性物品では、尿の吸収性能及び拡散性や、通気性を向上させるために、両シートの間に介装された吸収体における排尿位置（股間部）に溝（スリット）を形成する場合がある。また、吸収性物品の装着時における人体へのフィット性を向上させるために、股間部等にスリットを形成する場合もある。
【０００４】
例えば、吸収性物品を装着した際に、股下部分に配置される吸収体に形成されたスリットの一部が閉塞して、吸収体の幅が縮小し、股下部分における弛み等の過剰な膨らみや皺を抑制しつつ、前半身側や後半身側が人体にフィットし、良好な装着感を得ることができる吸収性物品が開示されている（例えば、特許文献１参照）。
【０００５】
また、例えば、スリットの長手方向の一部に、スリット幅の広い幅広部を有することにより、幅広部のスリットの長手方向の長さを確保して、吸収体の長手方向の良好な折れ曲がりや股下における吸収体の幅方向の良好な折れ曲がりを実現して、スリットによる股下のフィット性向上効果を発現して、漏れ防止性が得られる吸収性物品が開示されている（例えば、特許文献２参照）。
【先行技術文献】
【特許文献】
【０００６】
【特許文献１】特開２０１２−０９０８１８号公報
【特許文献２】特開２０１２−１５７３８０号公報
【発明の概要】
【発明が解決しようとする課題】
【０００７】
しかしながら、吸収体にスリットを形成した吸収性物品では、吸収性物品の装着時に脚周りからの力により股間部が収縮し、吸収体に形成されたスリットが閉塞してしまう場合が考えられ、この場合、スリットの機能が失われて尿の吸収性能や通気性が低下してしまう虞がある。
【０００８】
すなわち、特許文献１の吸収性物品では、フィット性を向上させるために、スリットの一部を閉塞させる構成であり、また、特許文献２の吸収性物品では、フィット性を向上させるために、吸収体の長手方向等で良好な折れ曲がりを得るようにスリットの幅広部で折り曲げる（幅広部を潰す）構成であるので、当該閉塞部分等でのスリットの機能が失われて尿の吸収性能や通気性が低下してしまうといった問題点があった。
【０００９】
本発明の課題は、装着時にスリットの機能を失うことなく、尿の吸収性能や通気性を維持できる吸収性物品を提供することにある。
【課題を解決するための手段】
【００１０】
前記課題を解決するために、請求項１記載の発明は、
人体に当接する面に位置する透液性のトップシートと、前記トップシートの前記人体に当接する面と反対側の面に位置する不透液性のバックシートと、前記トップシートと前記バックシートとの間に介装され長手方向に沿ったスリット部を有する吸収体と、を備える吸収性物品において、
前記スリット部は、第１のスリット幅を有する第１幅部と、前記第１のスリット幅より広い第２のスリット幅を有する第２幅部と、前記第１幅部のスリット幅と前記第２幅部のスリット幅との間のスリット幅を有する第３幅部と、を備え、
前記第１幅部と前記第２幅部とが複数回交互に形成され、前記第１幅部は、吸収体の厚さ方向に２段階のスリット幅を有する構造であることを特徴とする。
【００１１】
請求項２記載の発明は、請求項１に記載の吸収性物品において、前記第１幅部は、互いに対向するように前記スリット部の内面が突出して形成されていることを特徴とする。
【００１３】
請求項３記載の発明は、請求項１又は２に記載の吸収性物品において、前記第１幅部の内面は、先端部分が曲面になるように形成されることを特徴とする。
【発明の効果】
【００１６】
本発明によれば、吸収性物品の装着時に脚周りからスリット部の幅を縮めようとする力が作用した場合には第１幅部の対向する内面同士が突き当たることによりスリット部全体が閉塞することが防止されることとなって、スリット部の機能を失うことなく、尿の吸収性と通気性を維持することができる。
【図面の簡単な説明】
【００１７】
【図１】本実施形態におけるインナーパッドの一例を示す平面図及び断面図である。
【図２】吸収体の一例を示す平面図である。
【図３】装着時のスリットの形状変化の一例を示す説明図である。
【図４】変形例１の吸収体の一例を示す平面図及び断面図である。
【図５】装着時のスリットの形状変化の一例を示す説明図である。
【図６】変形例２の吸収体の一例を示す平面図及び装着時のスリットの形状変化の一例を示す説明図である。
【図７】吸収体の他の一例を示す平面図及び断面図である。
【図８】装着時のスリットの形状変化の一例を示す説明図である。
【発明を実施するための形態】
【００１８】
以下、図面を参照しつつ、本発明の実施形態である吸収性物品を詳細に説明する。但し、発明の範囲は、図示例に限定されない。
【００１９】
（実施形態）
本発明の実施形態の吸収性物品について、図１、図２及び図３に基づいて説明する。
図１は、本実施形態におけるインナーパッドの一例を示す平面図及びＸ−Ｘ断面図、図２は、吸収体の一例を示す平面図、図３は、装着時のスリットの形状変化の一例を示す説明図である。
【００２０】
図１に示すように、インナーパッド１００は、人体に当接する面に位置する透液性のトップシート１と、トップシート１における人体に当接する面と反対側の面に位置する不透液性のバックシート２と、トップシート１とバックシート２との間に介装される吸収体３とを備えている。
【００２１】
トップシート１は、有孔又は無孔の不織布や、多孔性プラスチックシート等により形成されている。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、又はこれらを組み合わせた方法が挙げられる。
トップシート１に多数の透孔を形成した場合には、尿等の液体がより速やかに吸収されるようになり、ドライタッチ性に優れたものとなる。
【００２２】
バックシート２は、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シート等を用いることができる。また、熱や圧力をかけることで繊維の空隙を小さくしたり、高吸水性樹脂又は疎水性樹脂や撥水剤を塗布したりして、プラスチックフィルムを用いずに不透液性としたシートをバックシート２として用いることができる。
【００２３】
吸収体３は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer）を組み合わせて吸収体３を構成することもできる。
【００２４】
高吸水性樹脂（以下、単にポリマーと呼ぶ。）としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、又はイソブチレンとマレイン酸との共重合体等が好適に用いられる。
【００２５】
さらに、消臭機能を持たせるため、吸収体３に消臭剤を入れてもよい。消臭剤としては、例えば、活性炭や天然鉱物（例えば、ベンナイト、カオリナイト、カネマイト等）、合成無機物（ゼオライト、アモルファスシリカ等）を用いることができる。
【００２６】
また、吸収体３には、吸収体３の長手方向に沿って、排尿する位置に、例えば、股間部にスリット部ＳＬ２１が形成される。スリット部ＳＬ２１には、幅方向の内面から互いに反対の内面に向かって対向して突出し、インナーパッド１００を人体に装着した際に、互いに突き当たってスリット部ＳＬ２１全体が閉塞することを防ぐ突出部ＰＲ２１（第１幅部）と、当該装着時に閉塞することなくスリットの形状を保持して、尿の吸収性能や通気性といったスリット部ＳＬ２１の機能を維持する機能維持部（第２幅部）ＭＡ２１とから構成される。
【００２７】
図２の平面図に示すように、突出部ＰＲ２１のスリット幅ＷＤ２１は、機能維持部ＭＡ２１のスリット幅ＷＤ２２よりも狭くなっている。
【００２８】
このようなスリット部ＳＬ２１の構成にすることにより、インナーパッド１００を人体に装着した際の脚周りからの力により股間部が収縮した場合、図３に示すように突出部ＰＲ２１が互いに突き当たって、それ以上の収縮を抑制することになるので、機能維持部ＭＡ２１は、閉塞することなくスリットの形状を保持することができ、尿の吸収性能や通気性といったスリット部ＳＬ２１の機能を維持することができる。
【００２９】
また、図２の平面図に示すように、突出部ＰＲ２１と機能維持部ＭＡ２１とが交互に並ぶように配置されて形成されている。
【００３０】
このようなスリット部ＳＬ２１の構成にすることにより、機能維持部ＭＡ２１の両端に形成された突出部ＰＲ２１が互いに突き当たって、それ以上の収縮を抑制することになるので、機能維持部ＭＡ２１がより閉塞しにくくなる。
【００３１】
さらに、図２の平面図に示すように、突出部ＰＲ２１の先端部分が曲線状になるように形成されている。また、機能維持部ＭＡ２１の短手方向であって、中央部分も曲線状になるように形成される。さらに、突出部ＰＲ２１と機能維持部ＭＡ２１との境界部分もまた曲線状になるように形成される。
【００３２】
このようなスリット部ＳＬ２１の構成にすることにより、インナーパッド１００を人体に装着した際に、突出部ＰＲ２１が互いに突き当たっている先端部分は点接触になるので、人体の動き等によって、閉塞しなかった機能維持部ＭＡ２１が互いに繋がりやすくなって、尿の拡散性といったスリット部ＳＬ２１の機能を維持することができる。
【００３３】
また、スリット部ＳＬ２１の内面全体が曲面になるように形成されるので、インナーパッド１００を人体に装着した際にかかる力を分散させ易くなり、機能維持部ＭＡ２１は、閉塞しにくくなってスリットの形状を保持することができる。
【００３４】
以上のように、本発明の実施形態では、人体に当接する面に位置する透液性のトップシート１と、トップシート１における人体に当接する面と反対側の面に位置する不透液性のバックシート２と、トップシート１とバックシート２との間に介装され長手方向にスリットＳＬ２１を有する吸収体３とを備える吸収性物品において、スリット部ＳＬ２１は、装着時に突き当たってスリット全体が閉塞することを防ぐ突出部ＰＲ２１と、装着時にスリットの機能を維持する機能維持部ＭＡ２１とから構成されることにより、装着時に機能維持部ＭＡ２１は、閉塞することなくスリットの形状を保持することができるので、装着時にスリットの機能を失うことなく、尿の吸収性能や通気性を維持できる。
【００３５】
（変形例１）
本発明の実施形態の変形例１について、図４に基づいて説明する。図４（ａ）は、吸収体４の一例を示す平面図、図４（ｂ）は図４（ａ）におけるＸ−Ｘ断面図、図４（ｃ）は図４（ａ）におけるＹ−Ｙ断面図である。
【００３６】
図４においては、基本的に図２と同じ構成であり、異なる点は、スリット部ＳＬ４１を構成する突出部ＰＲ４１（第１幅部）のスリットは、図４（ｃ）の断面図に示すように、吸収体３の厚さ方向に２段階のスリット幅を有する構造であって、下段のスリット幅ＷＤ４１が、上段のスリット幅ＷＤ４２よりも狭くなっている点である。ちなみに、スリット部ＳＬ４１を構成する機能維持部ＭＡ４１（第２幅部）のスリットは、図４（ｂ）の断面図に示すように、通常のスリット（１段階の構造）である。
【００３７】
このようなスリット部ＳＬ４１の構成にすることにより、インナーパッド１００を人体に装着した際の脚周りからの力により股間部が収縮した場合、図５に示すように突出部ＰＲ４１であって、スリット幅が狭い下段部分が互いに突き当たって、それ以上の収縮を抑制することになるので、機能維持部ＭＡ４１は、閉塞することなくスリットの形状を保持することができると共に、突出部ＰＲ４１におけるスリット幅の広い上段部分も閉塞することなくスリットの形状を保持することができる。
【００３８】
以上のように、変形例１によれば、スリット部ＳＬ４１の突出部ＰＲ４１のスリットは吸収体３の厚さ方向に２段階のスリット幅を有する構造であって、下段のスリット幅ＷＤ４１が上段のスリット幅ＷＤ４２よりも狭いことにより、装着時に突出部ＰＲ４１の上段部分と機能維持部ＭＡ４１は、閉塞することなくスリットの形状を保持することができるので、装着時にスリットの機能を失うことなく、尿の吸収性能や通気性を維持できる。また、スリット部ＳＬ４１が分断されないので、尿の拡散性も維持できる。
【００３９】
（変形例２）
本発明の実施形態の変形例２について、図６に基づいて説明する。図６は、吸収体５の一例を示す平面図及び装着時のスリットの形状変化の一例を示す説明図である。
【００４０】
図６（ａ）において、スリット部ＳＬ６１には、突出部ＰＲ６１（第１幅部）及び機能維持部ＭＡ６１（第２幅部）に加えて、突出部ＰＲ６１のスリット幅ＷＤ６１と機能維持部ＭＡ６１のスリット幅ＷＤ６２との間のスリット幅ＷＤ６３を有する中間部ＭＤ６１（第３幅部）が形成される。
ちなみに、図６（ａ）においては、中間部ＭＤ６１は、機能維持部ＭＡ６１の間に２箇所形成されているが、中間部ＭＤ６１の数や形成位置は任意である。
【００４１】
図６（ａ）に示すようなスリット部ＳＬ６１の構成にすることにより、インナーパッド１００を人体に装着した際の脚周りからの力により股間部が収縮した場合、図６（ｂ）に示すように突出部ＰＲ６１が互いに突き当たって、それ以上の収縮を抑制することになるので、機能維持部ＭＡ６１は、閉塞することなくスリットの形状を保持することができると共に、突出部ＰＲ６１のスリット幅ＷＤ６１より広いスリット幅ＷＤ６３を有する中間部ＭＤ６１もまたスリットの形状を保持することができる。
【００４２】
以上のように、変形例２によれば、スリット部ＳＬ６１は、突出部ＰＲ６１のスリット幅ＷＤ６１と機能維持部ＭＡ６１のスリット幅ＷＤ６２との間のスリットＷＤ６３幅を有する中間部ＭＤ６１が形成されることにより、装着時に機能維持部ＭＡ６１及び中間部ＭＤ６１は、閉塞することなくスリットの形状を保持することができるので、装着時にスリットの機能を失うことなく、尿の吸収性能や通気性を維持できる。また、スリットＳＬ６１が分断されないので、尿の拡散性も維持できる。
【００４３】
なお、変形例１の説明に際しては、突出部ＰＲ４１のスリットは吸収体３の厚さ方向に２段階のスリット幅を有する構造であって、下段のスリット幅ＷＤ４１が上段のスリット幅ＷＤ４２よりも狭いものが例示されているが、上段のスリット幅ＷＤ４２が下段のスリット幅ＷＤ４１よりも狭いものであってもよい。
【００４４】
変形例１の上下を入れ替えた場合の吸収体４について図７に基づいて説明する。図７（ａ）は、吸収体４の他の一例を示す平面図、図７（ｂ）は図７（ａ）におけるＸ−Ｘ断面図、図７（ｃ）は図７（ａ）におけるＹ−Ｙ断面図である。
【００４５】
図７においては、基本的に図４と同じ構成であり、異なる点は、スリット部ＳＬ４１を構成する突出部ＰＲ４１（第１幅部）のスリットは、図７（ｃ）の断面図に示すように、吸収体４の厚さ方向に２段階のスリット幅を有する構造であって、上段のスリット幅ＷＤ４１が、下段のスリット幅ＷＤ４２よりも狭くなっている点である。ちなみに、スリット部ＳＬ４１を構成する機能維持部ＭＡ４１（第２幅部）のスリットは、図７（ｂ）の断面図に示すように、通常のスリット（１段階の構造）である。
【００４６】
このようなスリット部ＳＬ４１の構成にすることにより、インナーパッド１００を人体に装着した際の脚周りからの力により股間部が収縮した場合、図８に示すように突出部ＰＲ４１であって、スリット幅が狭い上段部分が互いに突き当たって、それ以上の収縮を抑制することになるので、機能維持部ＭＡ４１は、閉塞することなくスリットの形状を保持することができると共に、突出部ＰＲ４１におけるスリット幅の広い下段部分も閉塞することなくスリットの形状を保持することができる。
【００４７】
以上のように、スリット部ＳＬ４１の突出部ＰＲ４１のスリットは吸収体４の厚さ方向に２段階のスリット幅を有する構造であって、上段のスリット幅ＷＤ４１が下段のスリット幅ＷＤ４２よりも狭いことにより、装着時に突出部ＰＲ４１の上段部分と機能維持部ＭＡ４１は、閉塞することなくスリットの形状を保持することができるので、装着時にスリットの機能を失うことなく、尿の吸収性能や通気性を維持できる。また、スリット部ＳＬ４１が分断されないので、尿の拡散性も維持できる。
【００４８】
また、スリット幅が狭い上段部分が互いに突き当たって、それ以上の収縮を抑制することになるので、機能維持部ＭＡ４１は、閉塞することなくスリットの形状を保持することができると共に、突出部ＰＲ４１におけるスリット幅の広い下段部分のスリットの形状を保持することができる。
【００４９】
すなわち、インナーパッド１００のトップシート１側における、突出部ＰＲ４１は互いに突き当たって閉塞するので、一旦、スリット部ＳＬ４１に流れ込んだ尿が、トップシート１側に逆流することを防止することができる。
【符号の説明】
【００５０】
１  トップシート
２  バックシート
３、４、５  吸収体
１００  インナーパッド
ＳＬ２１、ＳＬ４１、ＳＬ６１  スリット部
ＰＲ２１、ＰＲ４１、ＰＲ６１  突出部（第１幅部）
ＭＡ２１、ＭＡ４１、ＭＡ６１  機能維持部（第２幅部）
ＭＤ６１  中間部（第３幅部）
【図１】
0006664882.tif 000002
【図２】
0006664882.tif 000003
【図３】
0006664882.tif 000004
【図４】
0006664882.tif 000005
【図５】
0006664882.tif 000006
【図６】
0006664882.tif 000007
【図７】
0006664882.tif 000008
【図８】
0006664882.tif 000009